(57)【要約】【課題】  ホログラムデータを低消費電力で、しかも高速に読み出せるホログラム再生装置およびホログラム再生方法を提供する。【解決手段】  マトリックス状に配置された信号電極と走査電極の一部に所定の電圧を印加すると、これらの信号電極ｘ４と走査電極ｙ４が交差する部分に位置する画素ｐ２５が透過領域２４ａに設定され、この透過領域２４ａを介してホログラム記録媒体２３から出力される再生光２６ａが光制御部材２４を透過して受光部２９に導かれ、ホログラムデータ２６の再生が行われる。前記信号電極と前記走査電極に与える電圧の組合せを変更するだけで、光制御部材２４を透過させる再生光を切り換えることができるため、ホログラムデータの読み出し速度を速めることができる。【選択図】図２
2008059832.tif 000002
【特許請求の範囲】
【請求項１】
ホログラムデータが記録された記録媒体に向けて参照光を発する発光部と、前記記録媒体から出力される再生光を受光する受光部と、前記記録媒体と前記受光部との間に設けられ且つ所定の面積ごとに光を透過させる透過領域と前記光の透過を遮断する非透過領域とを選択的に形成することが可能な光制御部材と、を有することを特徴とするホログラム再生装置。
【請求項２】
前記記録媒体に対向しながら自在に移動する光学ヘッドが設けられており、この光学ヘッドに前記発光部、前記受光部および前記光制御部材が搭載されている請求項１記載のホログラム再生装置。
【請求項３】
前記光制御部材が、液晶素子、ファラデー回転子を備えた光減衰器、または反強誘電−強誘電相転移現象に伴って透過光量変化を生ずる光制御素子のいずれかで形成されている請求項１または２のいずれか記載のホログラム再生装置。
【請求項４】
前記請求項１ないし３のいずれか記載のホログラム再生装置を有し、前記発光部が前記記録媒体に参照光を照射したときに前記受光部が前記記録媒体から出力される再生光を受光して、ホログラムデータを再生するホログラム再生方法であって、
前記光制御部材の全体を前記透過領域に設定し、このとき前記受光部に入射する再生光に基づいて前記参照光の入射角度についての微調整を行う第１の工程と、
前記光制御部材の一部を前記透過領域とし且つその他を前記非透過領域に設定し、このとき前記受光部に入射する再生光に含まれるホログラムデータを読み出す第２の工程と、を有することを特徴とするホログラム再生方法。
【請求項５】
前記光制御部材が、多数の画素を有するとともに前記画素ごとに光を透過させる透過状態と前記光の透過を遮断する非透過状態とを制御することが可能な液晶素子であり、
前記第２の工程では、前記光制御部材の各画素の状態を所定の順番で前記画素ごとにまたは所定の画素群ごとに切り換え、このとき前記受光部に入射する再生光に含まれるホログラムデータが前記の順番で読み出される請求項４記載のホログラム再生方法。
【請求項６】
前記第２の工程のとき、最適な透過領域を選定しまたは拡張する調整を行った後に前記ホログラムの読み出しが行われる請求項４または５記載のホログラム再生方法。
【請求項７】
前記第１の工程の前に、前記光学ヘッドを前記記録媒体と対向する所定の位置に移動させる工程を有する請求項４ないし６のいずれか記載のホログラム再生方法。
【発明の詳細な説明】
【技術分野】
【０００１】
本発明は、参照光の照射によって記録媒体に記録されたホログラムデータを再生するホログラム再生装置及びホログラム再生方法に関する。
【背景技術】
【０００２】
下記の特許文献１に記載されているように、ホログラムデータの再生では、再生参照光を、ホログラムデータが記録された記録媒体に入射させると、ブラッグ条件式により、前記再生参照光が前記データの干渉縞で回折され、再生光が発せられる。そして、前記再生光がＣＣＤやＣＭＯＳイメージセンサなど受光素子によって受光され、前記再生光に含まれるホログラムデータの内容が読み出される。【０００３】
特許文献１に記載された発明では、記録媒体と受光素子との間にピンホールフィルタが設けられている。特許文献１によれば、前記ピンホールフィルタは、ある所定のホログラムの再生光のみを通過させ、他のホログラムの再生光を遮断するため、前記記録媒体に記録された複数のホログラムデータを夫々、読み出すことができる。【０００４】
前記ピンホールフィルタや前記受光素子は、移動自在に設けられた光学ヘッドに搭載されている。ホログラムに記録されているデータは、前記光学ヘッドが個々のホログラムの位置（ブック位置）に移動することにより、ホログラム毎に読み出しが行われる。
【特許文献１】特開２００６−５８７２６号公報
【発明の開示】
【発明が解決しようとする課題】
【０００５】
従来のホログラム装置では、ホログラムに記録されたデータを再生するには、記録媒体に対して書き込み時の参照光と同じ波長及び同じ角度の光を、各ホログラム位置（ブック位置）に正確に入射させる必要があり、そのためには光学系と記録媒体の間で高精度な位置合わせが必要である。【０００６】
しかしながら、従来のホログラム装置では、高精度に位置合わせを、まず光学ヘッドをホログラムの位置に移動（位置調整）させ、その後に角度などの微調整を行っており、しかも光学ヘッドの移動は、ブックと称されるホログラムデータが多数記録された一領域ごとに行っていたため、読み出し速度を早め難いという問題があった。【０００７】
また、常に１つ１つのホログラムに対して前記光学ヘッドを移動させる必要があったことから、消費電力を低減し難いという問題もあった。【０００８】
本発明は上記従来の課題を解決するためのものであり、ホログラムデータを低消費電力で高速に読み出せるホログラム再生装置およびホログラム再生方法を提供することを目的としている。
【課題を解決するための手段】
【０００９】
本発明は、ホログラムデータが記録された記録媒体に向けて参照光を発する発光部と、前記記録媒体から出力される再生光を受光する受光部と、前記記録媒体と前記受光部との間に設けられ且つ所定の面積ごとに光を透過させる透過領域と前記光の透過を遮断する非透過領域とを選択的に形成することが可能な光制御部材と、を有することを特徴とするものである。【００１０】
本発明では、再生光を通過させる透過領域を自在に切り換えることができる。この切り換えでは、従来のように常に光学ヘッドの移動を伴うものはないため、ホログラムデータの読み出し速度を速めることができる。【００１１】
上記にいては、前記記録媒体に対向しながら自在に移動する光学ヘッドが設けられており、この光学ヘッドに前記発光部、前記受光部および前記光制御部材が搭載されているものが好ましい。【００１２】
上記手段では、記録領域が大きく、前記光制御部材だけではすべての記録領域についての再生ができないホログラム記録媒体についての再生を可能とすることができる。【００１３】
例えば、前記光制御部材が、液晶素子、ファラデー回転子を備えた光減衰器、または反強誘電−強誘電相転移現象に伴って透過光量変化を生ずる光制御素子のいずれかで形成することができる。【００１４】
また本発明は、前記いずれか記載のホログラム再生装置を有し、前記発光部が前記記録媒体に参照光を照射したときに前記受光部が前記記録媒体から出力される再生光を受光して、ホログラムデータを再生するホログラム再生方法であって、
前記光制御部材の全体を前記透過領域に設定し、このとき前記受光部に入射する再生光に基づいて前記参照光の入射角度についての微調整を行う第１の工程と、
前記光制御部材の一部を前記透過領域とし且つその他を前記非透過領域に設定し、このとき前記受光部に入射する再生光に含まれるホログラムデータを読み出す第２の工程と、を有することを特徴とするものである。【００１５】
本発明の第１の工程では、再生光を広い領域で通過させた状態で、すなわち受光部での受光量が最も多くなる状態で初期設定を行うことが出来るので、前記再生光の入射角度を高精度に調整することができる。【００１６】
また第１の工程では、不要な再生光を適切にカットすることができるため、ピンホールフィルタ同様に所望のホログラムデータを確実に再生することが可能になる。【００１７】
上記においては、前記光制御部材が、多数の画素を有するとともに前記画素ごとに光を透過させる透過状態と前記光の透過を遮断する非透過状態とを制御することが可能な液晶素子であり、
前記第２の工程では、前記光制御部材の各画素の状態を所定の順番で前記画素ごとにまたは所定の画素群ごとに切り換え、このとき前記受光部に入射する再生光に含まれるホログラムデータが前記の順番で読み出されるものが好ましい。【００１８】
上記手段では、液晶素子を形成する信号電極と走査電極との間に印加する電圧の組み合わせを適宜に切り換えるだけで、所望の画素または画素群を透過領域および非透過領域に切り換えることができる。このため、液晶素子上に簡単且つ迅速にピンホールを形成することが可能となるためホログラムデータの読み出し時間を短縮することが可能となる。【００１９】
上記においては、前記第２の工程のとき、最適な透過領域を選定しまたは拡張する調整を行った後に前記ホログラムの読み出しが行われるものが好ましい。【００２０】
上記手段では、位置ずれ等により当初予定の再生光の透過が阻まれるような場合であっても、この状態を解消することが可能となるため、ホログラムデータを確実に再生することができる。【００２１】
また前記第１の工程の前に、前記光学ヘッドを前記記録媒体と対向する所定の位置に移動させる工程を有するものとすることができる。【００２２】
上記手段では、異なるエリアに記録されているホログラムデータの読み出しを可能とすることができる。
【発明の効果】
【００２３】
本発明では、光学ヘッドまたは記録媒体を移動させることなく、記録媒体の複数のブック位置に記録されているホログラムデータを読み出すことができる。このため、再生時の読み出し速度を向上させることができる。【００２４】
また光学ヘッドの移動は、特定のエリアごとに行えばよく、従来のようにブック位置ごとに行う必要がなくなるため、ホログラム再生装置全体の消費電力を低減させることができる。
【発明を実施するための最良の形態】
【００２５】
図１は、本発明の実施の形態に係るホログラム再生装置によって初期設定を行う様子を示す概念図、図２は、図１の初期設定を行った後、前記ホログラム再生装置によって記録媒体からホログラムデータを再生する様子を示す概念図、図３はホログラム再生装置に使用される光制御部材の初期設定時を示す平面図、図４はホログラム再生装置に使用される光制御部材のホログラム再生時を示す平面図である。なお、図１は図３に示すＡ−Ａ線から膜厚方向へ切断し矢印方向から見た部分断面図に相当し、図２は図４に示すＢ−Ｂ線から膜厚方向へ切断し矢印方向から見た部分断面図に相当している。【００２６】
図１に示すホログラム再生装置２０の主要部は、例えば同一の基板上に複数の面発光レーザ（VCSEL）が設けられたVCSELアレイ等の発光部２１と、ホログラム記録媒体２３を設置するための設置部２２と、前記ホログラム記録媒体２３から発せられた再生光２５ａ〜２７ａを受光するＣＣＤやＣＭＯＳイメージセンサなどからなる受光部２９と、前記受光部２９と前記設置部２２間に位置する光制御部材２４とにより構成される。【００２７】
前記ホログラム記録媒体２３には、図示しないホログラム記録装置によってホログラムデータ２５，２６，２７が干渉縞として多数記録されている。【００２８】
ホログラムデータが多数記録された同一領域を「ブック」と呼び、前記ブック内に角度ごと又は波長ごとに記録されている個々のホログラムデータを「ページ」と呼ぶ。図１に示す各ホログラムデータ２５，２６，２７は、夫々、異なる前記ブックに記録されたものであり、各ホログラムデータ２５，２６，２７は同じ参照光の入射角度θ及び波長によって記録されたものである。図１では、図面を簡潔にするために各ホログラムデータ２５，２６，２７は間隔を空けて示しているが、実際には、隣り合う前記ホログラムデータ２５，２６，２７同士は、夫々、一部重なって記録されている。隣り合う各ホログラムデータ２５，２６，２７の中心間距離は、数百μｍ程度である。【００２９】
図１は、参照光２８の入射位置、入射角度θ、及び波長等を調整する初期設定時を示している。【００３０】
図１に示すように、ホログラム再生装置２０の前記発光部２１から参照光２８を前記ホログラム記録媒体２３に向けて照射する。前記発光部２１と前記設置部２２間には、図示しないレンズアレイやミラーアクチュエータなどが設けられており、前記参照光２８は平行光として、所定の入射角度にて前記ホログラム記録媒体２３に入射される。図１に示すように、前記参照光２８の前記ホログラム記録媒体２３表面に対する入射角度はθで示される。【００３１】
図１および図３に示す再生初期設定時では、前記光制御部材２４の全領域が光を板厚方向に透過させる透過領域に設定されている。【００３２】
前記光制御部材２４としては、例えば横方向（図示Ｘ方向）に所定の間隔を空けて縦方向（図示Ｙ方向）に延びる多数本の透明な信号電極ｘ１〜ｘ７と、縦方向（図示Ｙ方向）に所定の間隔を空けて横方向（図示Ｘ方向）に延びる多数本の透明な走査電極ｙ１〜ｙ７とが、液晶層を介してマトリックス状に対向する液晶素子を用いることができる（図３，４参照）。【００３３】
なお、以下においては、前記光制御部材２４として液晶素子を用いた場合を例示して説明するが、前記光制御部材２４は液晶素子に限られるものではない。前記光制御部材２４のその他の例としては、光がその進行方向に平行な磁場の中を通過する際に偏光面が回転するというファラデー効果を利用して光の偏光状態の制御を行うファラデー回転子を備えた光減衰器、あるいは反強誘電−強誘電相転移現象に伴って透過光量変化を生ずる光制御素子などを挙げることができる。【００３４】
前記液晶素子からなる光制御部材２４は、平面視にて対向する前記信号電極ｘ１〜ｘ７と前記走査電極ｙ１〜ｙ７とが交差する部分が１つの画素を構成している。前記画素数が多い液晶素子であるほど、後のホログラム再生時に前記光制御部材２４に形成される透過領域２４ａの大きさを細かく制御することが出来る。例えば、各画素に与える電圧値を大きくすることで相対輝度を小さくできる。なお、以下においては、記信号電極ｘ１〜ｘ７と前記走査電極ｙ１〜ｙ７とが交差する複数の位置を、順番に画素ｐ１〜画素ｐ４９で示している（図３、図４等参照）。【００３５】
図１，図３に示すように、前記光制御部材２４を構成するすべての前記信号電極ｘ１〜ｘ７とすべての前記走査電極ｙ１〜ｙ７との間に所定の電圧を与えると、前記光制御部材２４の全領域が透過領域２４ａに設定される。なお、図３中に一点鎖線で示す大円は、ホログラム記録媒体２３を照光する参照光２８の照射領域を示しており、複数の点線で示す小円はホログラム記録媒体２３から出力される多数の再生光（回折光、以下同様）のうちの一部を示している。【００３６】
一方、図２，図４に示すように、前記光制御部材２４を構成する一部の透明電極、例えば信号電極ｘ４と走査電極ｙ４間のみに所定の電圧を与えると、前記光制御部材２４の全領域のうち、前記信号電極ｘ４と前記走査電極ｙ４とが対向する一部の領域（画素ｐ２５）のみが透過領域２４ａに設定され，その他の領域を非透過領域２４ｂに設定される。なお、前記一部の領域は、所定の面積を有するものであればよく、上記のように最小単位である画素ごとに構成されるものでもよいし、あるいは複数の画素の集合体である画素群ごとに形成されるものであってもよい。【００３７】
図１に示すように、前記参照光２８が前記ホログラムデータ２５，２６，２７に照射されると、ブラッグ条件式を満たすとき、光が回折して、再生光２５ａ，２６ａ，２７ａが前記ホログラム記録媒体２３から前記受光部２９に向けて出力される。【００３８】
このとき、前記光制御部材２４の全領域が光の透過を遮断する非透過領域２４ｂに設定されている場合には、前記再生光２５ａ，２６ａ，２７ａは前記受光部２９に届くことがない。この結果、前記受光部２９は、再生光２５ａ，２６ａ，２７ａを受光することはできない。【００３９】
一方、図１，図３に示すように前記光制御部材２４の全領域が光を透過させる透過領域２４ａに設定されている場合には、再生光２５ａ，２６ａ，２７ａは前記透過領域２４ａを透過して前記受光部２９に達する。この結果、前記受光部２９は、複数の再生光２５ａ，２６ａ，２７ａなどを一度に受光することができる。【００４０】
また図２，図４に示すように前記光制御部材２４の一部の領域（画素ｐ２５）のみが前記透過領域２４ａに設定され、その他の領域が非透過領域２４ｂに設定されている場合には、その一部の領域（画素ｐ２５）に対応する再生光２６ａのみが透過することができる。すなわち、図４では、前記透過領域２４ａに設定されている画素ｐ２５が、一部の再生光２６ａのみの透過を許容するピンホールとして機能している。この結果、前記受光部２９は、前記再生光２６ａに含まれる前記ホログラムデータ２６の読み出しを行う。【００４１】
また例えば信号電極ｘ２と走査電極ｙ４との間のみに電圧を印加すると、前記ホログラムデータ２５と対向する画素ｐ２３を前記透過領域２４ａに設定することができ、また信号電極ｘ６と走査電極ｙ４との間のみに電圧を印加すると、前記ホログラムデータ２７と対向する画素ｐ２７を前記透過領域２４ａに設定することができる。【００４２】
すなわち、電圧を印加する信号電極ｘ１〜ｘ７および前記走査電極ｙ１〜ｙ７の組合せを制御することにより、前記光制御部材２４上に形成される前記透過領域２４ａが形成される画素を自在に設定することが可能である。そして、前記透過領域２４ａの位置を変えることにより、前記光制御部材２４を透過させる再生光を選択することができ、前記受光部２９にて読み出しを行うべきホログラムデータ（ブック）を自在に選択することができる。【００４３】
なお、上記液晶素子の応答速度は、電圧を印加する電極の組合せを切り換えるだけでよく、少なくともモーターの駆動力を利用して光学ヘッドを移動させる従来のメカ的な制御よりも速い。このため、従来に比較してホログラムデータを高速に読み出すことができる。【００４４】
ただし、モーターの駆動力を利用した従来の光学ヘッドが不要になるというわけではない。すなわち、前記光制御部材２４の大きさ（面積）は例えば１ｍｍ×１ｍｍ程度である。これに対し、ホログラム記録媒体２３の大きさ（面積）は、例えば小さいもので１０ｍｍ×１０ｍｍ程度であり、大きいものでは数百ｍｍ×数百ｍｍを超えるものまで多種にわたる。すなわち、前記光制御部材２４と前記ホログラム記録媒体２３との面積比は、少なくとも１００以上となるのが一般的である。また上記のように隣り合う各ホログラムデータの中心間距離は数百μｍ程度である。【００４５】
このため、前記光制御部材２４が、ホログラム記録媒体２３の１つのエリアに位置するときに読み出し可能となるブックは当該エリアに含まれるブックに限られるのであり、ホログラム記録媒体２３上のすべてのエリアに存在するブックについての読み出しが可能となるわけではない。【００４６】
そこで、本発明では、のホログラム再生装置の光学系部材、すなわち発光部２１、光制御部材２４および受光部２９を、ＸＹ平面上をＸ方向およびＹ方向に移動可能な光学ヘッド３０に搭載することにより、前記光制御部材２４を所定のステップで移動させ、移動後のエリアごとに読み出しを行うようにしている。【００４７】
図５は、ホログラム再生装置の光学系部材が搭載された光学ヘッドと、ホログラム記録媒体とを示す平面図、図６はホログラム記録媒体のエリアと、光制御部材の画素および受光部との対応関係を示す斜視図である。【００４８】
ホログラム記録媒体２３は、前記光制御部材２４の大きさに応じて複数のエリアに分割されている。図５は、前記ホログラム記録媒体２３が論理的にエリアＡ１からエリアＡ２４までの２４ヶのエリアに分割した例を示している。【００４９】
ホログラム記録媒体２３が、前記ホログラム再生装置２０の設置部２２に装填されると、図示しない制御部が、同じく図示しないＸＹ搬送機構により光学ヘッド３０を初期位置に移動させて停止させる。なお、図５では実線で示すように、前記光制御部材２４が前記エリアＡ１と対向する状態を初期位置としている。【００５０】
次に、制御部は、前記光制御部材２４の全領域が透過領域２４ａに設定されるように、すべての前記信号電極ｘ１〜ｘ７と前記走査電極ｙ１〜ｙ７とに所定の電圧を与える。【００５１】
そして、制御部は、光学ヘッド３０を前記初期位置（エリアＡ１）で停止させたときの初期設定動作、すなわち前記参照光２８の入射角度θについて微調整を行い、前記受光部２９で取得される前記再生光２５ａ〜２７ａ等の受光量が最も多くなるように前記入射角度θを設定する動作を行う。なお、前記入射角度θの調整は、光学ヘッドに搭載された図示しないミラーアクチュエータにより行われる。【００５２】
次に、制御部は１つの画素または画素群単位で前記透過領域２４ａの状態を切り換える。【００５３】
例えば、図６に示すように前記信号電極ｘ１と前記走査電極ｙ１のみに電圧を与えることにより、これに対応する画素ｐ１のみを透過領域２４ａに切り換える。そして、制御部はこの画素ｐ１に対応するホログラム記録媒体２３のエリアＡ１内のブックＢ１の読み出しを行う。【００５４】
ここで、例えば前記画素ｐ１とこれを透過する予定の再生光の位置との間に多少の位置ずれが生じていると、前記再生光が当初予定の透過領域２４ａである画素ｐ１を透過することができなくなる。このような場合には、画素ｐ１に隣接する画素（例えばｐ２やｐ８など）または画素群を透過領域２４ａに切り換えることにより、前記再生光を透過させることが可能となる。すなわち、制御部が、再生光を透過させるために最適な透過領域２４ａを選定することにより、前記再生光を透過させることが可能となる。あるいは、前記透過領域２４ａの大きさを、前記再生光が透過可能な程度まで拡張させることで対応してもよい。【００５５】
次に、制御部は画素ｐ１に隣接する画素ｐ２を透過領域２４ａに、その他の画素を非透過領域２４ｂに切り換える。これにより、この画素ｐ２に対応する前記エリアＡ１内のブックＢ２の読み出しが行われる。【００５６】
そして、以下同様に制御部はこのような動作を繰り返し、画素または画素群を所定の順番で透過領域２４ａに切り換えることにより、エリアＡ１内のすべてのブックに含まれるホログラムデータの読み出しを行う。【００５７】
なお、１つのブックはホログラムデータを角度または周波数多重で記録した多数のページを有している。このため、各ページのホログラムデータは、波長または前記入射角度θを適宜変更することにより読み出すことが可能である。【００５８】
例えば、１つのエリアについての全ホログラムデータの読み出しは、各ブックの読み出しを行う際に、上記ミラーアクチュエータを駆動し、入射角度θを所定の微小角度で振ることにより、１つのブックについて全ページを読み出し、それが終了したら隣接する次のブックについて全ページを読み出すというように、ブック単位で読み出すことができる。あるいは、前記入射角度θを例えば第１ページに固定し、前記第１ページをすべてのブックについて読み込み、次に入射角度θを第２ページに固定し、すべてのブックについての第２ページを読み込むというように、ページ単位で読み出すようにしてもよい。【００５９】
そして、１つのエリアのホログラムデータの読み出しが終了すると、制御部はＸＹ搬送機構を駆動させ、前記光学ヘッド３０を次のエリア（例えばエリアＡ２）に対向する位置に移動させる。そして、上記同様の動作を行うことにより、エリアＡ２に含まれるすべてのホログラムデータの読み出を行うことができる。【００６０】
また図５に示すように、例えばエリアＡ１５に記録されているホログラムデータの読み出しを行う場合には、制御部はＸＹ搬送機構を駆動させて前記光学ヘッド３０をエリアＡ１５と対向する位置に移動させる。そして、上記同様の動作を行うことにより、エリアＡ１５に記録されているホログラムデータの読み出しを行うことが可能となる。【００６１】
このように、本願発明では、従来のように光学ヘッド３０をブック単位で移動する必要がなく、それよりも大きなエリア単位で移動させることができるため、光学ヘッドの移動回数を減らすことができ、この点で消費電力を低減させることが可能となる。【００６２】
また１つのエリア内での読み出しは、光学ヘッド３０を移動させることなく、光制御部材２４を構成する前記信号電極と前記走査電極間に与える電圧の組合せを切り換えるだけでよいため、ホログラムデータの読み出し時間を短縮することができる。【００６３】
しかも、初期設定時における入射角度θの微調整については、エリアごとに行うことで済み、ブック単位で行う必要がない。この点でもホログラムデータの読み出し速度を向上させることができる。さらに光学ヘッドの送り動作については、エリアごとに大まかなステップで送ることで済み、従来のように細かく高精度に移動させる必要がない。このため、ホログラム再送装置全体の製造コストを低減することが可能となる。
【図面の簡単な説明】
【００６４】
【図１】本発明の実施の形態に係るホログラム再生装置によって初期設定を行う様子を示す概念図、
【図２】図１の初期設定を行った後、前記ホログラム再生装置によって記録媒体からホログラムデータを再生する様子を示す概念図、
【図３】ホログラム再生装置に使用される光制御部材の初期設定時を示す平面図、
【図４】ホログラム再生装置に使用される光制御部材のホログラム再生時を示す平面図，
【図５】光学ヘッドに搭載されたホログラム再生装置とホログラム記録媒体とを示す平面図、
【図６】ホログラム記録媒体のエリアと、光制御部材の画素および受光部との対応関係を示す斜視図、
【符号の説明】
【００６５】
２０  ホログラム再生装置
２１  発光部
２２  設置部
２３  ホログラム記録媒体
２４  光制御部材（液晶素子）
２４ａ  透過領域
２４ｂ  非透過領域
２５，２６，２７  ホログラムデータ
２５ａ，２６ａ，２７ａ  再生光
２８  再生参照光
２９  受光部
３０  光学ヘッド
Ａ１〜Ａ２４  ホログラム記録媒体のエリア
Ｂ１，Ｂ２  ブック
ｐ１〜ｐ４９  画素
ｘ１〜ｘ７  信号電極
ｙ１〜ｙ７  走査電極
【図１】
2008059832.tif 000003
【図２】
2008059832.tif 000004
【図３】
2008059832.tif 000005
【図４】
2008059832.tif 000006
【図５】
2008059832.tif 000007
【図６】
2008059832.tif 000008
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
複数のホログラムデータが記録された記録媒体に向けて参照光を発する発光部と、前記記録媒体から出力される再生光を受光する受光部と、前記記録媒体と前記受光部との間に設けられて光を透過させる光透過領域の広さおよび位置を可変できる光制御部材と、を有し、
前記光制御部材は、前記光透過領域を広げて、前記記録媒体の所定の範囲内に存在する複数のホログラムデータからの再生光を前記受光部に向けて透過させる初期状態と、前記光透過領域を狭めて、前記範囲内の１つのホログラムデータからの再生光を前記受光部に向けて透過させるとともに、狭めた前記光透過領域の位置を変えて前記範囲内のホログラムデータからの再生光を順番に切り替える走査動作状態とに設定されることを特徴とするホログラム再生装置。
【請求項２】
前記記録媒体に対向して移動する光学ヘッドに、前記発光部、前記受光部および前記光制御部材が搭載されており、前記光学ヘッドの移動に伴って、前記光制御部材と前記記録媒体とが対向する前記範囲を移動させることが可能である請求項１記載のホログラム再生装置。
【請求項３】
前記光制御部材が、液晶素子、ファラデー回転子を備えた光減衰器、または反強誘電−強誘電相転移現象に伴って透過光量変化を生ずる光制御素子のいずれかで形成されている請求項１または２のいずれか記載のホログラム再生装置。
【請求項４】
複数のホログラムデータが記録された記録媒体に向けて参照光を発する発光部と、前記記録媒体から出力される再生光を受光する受光部と、前記記録媒体と前記受光部との間に設けられて光を透過させる光透過領域の広さおよび位置を可変できる光制御部材とを用い、
前記光制御部材を、前記光透過領域を広げて、前記記録媒体の所定の範囲内に存在する複数のホログラムデータからの再生光を前記受光部に向けて透過させる初期状態と、前記光透過領域を狭めて、前記範囲内の１つのホログラムデータからの再生光を前記受光部に向けて透過させるとともに、狭めた前記光透過領域の位置を変えて前記範囲内のホログラムデータからの再生光を順番に切り替える走査動作状態とに設定することを特徴とするホログラム再生方法。
【請求項５】
前記初期状態において、前記受光部で受光した光の受光量に基づいて、前記参照光の記録媒体への入射角度が最良になるように調整し、その後に前記走査動作状態に移行する請求項４記載のホログラム再生方法。
【請求項６】
所定の前記範囲において前記走査動作状態の動作を完了させた後に、前記発光部、前記受光部および前記光制御部材が搭載された光ヘッドを移動させて、前記光制御部材と前記記録媒体とが対向する前記範囲を移動させる請求項４または５記載のホログラム再生方法。
【請求項７】
前記走査動作状態で、光制御部材を調整して、１つのホログラムから得られる再生光の透過領域を調整することが可能である請求項４ないし６のいずれかに記載のホログラム再生方法。
【手続補正２】
【補正対象書類名】明細書
【補正対象項目名】０００９
【補正方法】変更
【補正の内容】
【０００９】
本発明のホログラム再生装置は、複数のホログラムデータが記録された記録媒体に向けて参照光を発する発光部と、前記記録媒体から出力される再生光を受光する受光部と、前記記録媒体と前記受光部との間に設けられて光を透過させる光透過領域の広さおよび位置を可変できる光制御部材と、を有し、
前記光制御部材は、前記光透過領域を広げて、前記記録媒体の所定の範囲内に存在する複数のホログラムデータからの再生光を前記受光部に向けて透過させる初期状態と、前記光透過領域を狭めて、前記範囲内の１つのホログラムデータからの再生光を前記受光部に向けて透過させるとともに、狭めた前記光透過領域の位置を変えて前記範囲内のホログラムデータからの再生光を順番に切り替える走査動作状態とに設定されることを特徴とするものである。
【手続補正３】
【補正対象書類名】明細書
【補正対象項目名】００１１
【補正方法】変更
【補正の内容】
【００１１】
上記においては、前記記録媒体に対向して移動する光学ヘッドに、前記発光部、前記受光部および前記光制御部材が搭載されており、前記光学ヘッドの移動に伴って、前記光制御部材と前記記録媒体とが対向する前記範囲を移動させるものが好ましい。
【手続補正４】
【補正対象書類名】明細書
【補正対象項目名】００１４
【補正方法】変更
【補正の内容】
【００１４】
また本発明のホログラム再生方法は、複数のホログラムデータが記録された記録媒体に向けて参照光を発する発光部と、前記記録媒体から出力される再生光を受光する受光部と、前記記録媒体と前記受光部との間に設けられて光を透過させる光透過領域の広さおよび位置を可変できる光制御部材とを用い、
前記光制御部材を、前記光透過領域を広げて、前記記録媒体の所定の範囲内に存在する複数のホログラムデータからの再生光を前記受光部に向けて透過させる初期状態と、前記光透過領域を狭めて、前記範囲内の１つのホログラムデータからの再生光を前記受光部に向けて透過させるとともに、狭めた前記光透過領域の位置を変えて前記範囲内のホログラムデータからの再生光を順番に切り替える走査動作状態とに設定することを特徴とするものである。
【手続補正５】
【補正対象書類名】明細書
【補正対象項目名】００１５
【補正方法】変更
【補正の内容】
【００１５】
例えば、本発明は、前記初期状態において、前記受光部で受光した光の受光量に基づいて、前記参照光の記録媒体への入射角度が最良になるように調整し、その後に前記走査動作状態に移行するものである。
【手続補正６】
【補正対象書類名】明細書
【補正対象項目名】００１６
【補正方法】変更
【補正の内容】
【００１６】
さらに、所定の前記範囲において前記走査動作状態の動作を完了させた後に、前記発光部、前記受光部および前記光制御部材が搭載された光ヘッドを移動させて、前記光制御部材と前記記録媒体とが対向する前記範囲を移動させることも可能である。
【手続補正７】
【補正対象書類名】明細書
【補正対象項目名】００１７
【補正方法】変更
【補正の内容】
【００１７】
また、前記走査動作状態で、光制御部材を調整して、１つのホログラムから得られる再生光の透過領域を調整することが可能である。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００４６
【補正方法】変更
【補正の内容】
【００４６】
そこで、本発明では、ホログラム再生装置の光学系部材、すなわち発光部２１、光制御部材２４および受光部２９を、ＸＹ平面上をＸ方向およびＹ方向に移動可能な光学ヘッド３０に搭載することにより、前記光制御部材２４を所定のステップで移動させ、移動後のエリアごとに読み出しを行うようにしている。
【国際調査報告】
2008059832.tif 000009
2008059832.tif 000010
2008059832.tif 000011
2008059832.tif 000012